(57)【要約】 【課題】  遊技盤に対する構成部品の取付位置がずれていた場合にすぐに位置ずれが判明するパチンコ機を提供する。【解決手段】  遊技盤１３は、合板や合成樹脂等で形成される厚肉の台盤６１とこの台盤６１の表面に貼付されたセル板６３とから構成されている。セル板６３には、その左側縁部及び下縁部に指標７５が付されている。  作業者は、構成部品を遊技盤１３に組み付ける際に、指標７５をみて、構成部品の位置ずれをすぐに確認することができる。【選択図】  図４
2005143578.tif 000002
【特許請求の範囲】
【請求項１】
遊技盤を備えたパチンコ機であって、前記遊技盤の表面の縁部には、前記遊技盤に取り付けられる構成部品の取付位置の指標が付されていることを特徴とするパチンコ機。
【発明の詳細な説明】
【技術分野】
【０００１】
本発明は、パチンコ機に関する。
【背景技術】
【０００２】
パチンコ機は、例えば次のように製造されている。すなわち、遊技盤にルータ加工機等で、特別図柄表示装置等の構成部品を取り付けるための取付開口を加工し、その後、構成部品をその開口に手作業又は機械自動作業で取り付けてネジ止め等をする（例えば、特許文献１参照）。そして、この遊技盤及び他の構成部品（例えば上皿等）を別途製造した枠に取り付けてパチンコ機は製造されている。
【特許文献１】特開２００３−１２６３７５公報（図４）
【発明の開示】
【発明が解決しようとする課題】
【０００３】
しかしながら、構成物品を取付開口に嵌めた状態でも取付開口と構成部品との間には若干の遊び空間があるために、遊技盤に対する構成部品の位置がずれてしまう場合があった。
また、取付開口に嵌めることなく、ネジ締め等によって直接遊技盤に取り付ける構成部品においても、その取付位置がずれる場合があった。
この構成物品の位置がずれると、遊技盤上を流下するパチンコ球の流れに多大なる影響を与えるため、この位置ずれを修正しなくてはならない。
そこで、従来は、構成部品の位置がずれていないかを作業者が定規等の計測器を遊技盤に当てて確認していたが、これでは、取付位置がずれていても瞬時には判別することができないため、組み付け作業に手間取ってしまうという問題点があった。
本発明は上記のような事情に基づいて完成されたものであって、遊技盤に対する構成部品の取付位置がずれていた場合にすぐに位置ずれが判明するパチンコ機を提供することを目的とする。
【課題を解決するための手段】
【０００４】
上記の目的を達成するための手段１として、請求項１の発明は、遊技盤を備えたパチンコ機であって、前記遊技盤の表面の縁部には、前記遊技盤に取り付けられる構成部品の取付位置の指標が付されていることを特徴とするパチンコ機である。
【０００５】
手段２の発明は、手段１に記載のものにおいて、前記遊技盤は、略方形状とされており、その隣合う二辺に前記指標が付されていることを特徴とする。
【０００６】
手段３の発明は、手段１に記載のものにおいて、前記遊技盤の表面の周縁を囲むように前記指標が付されていることを特徴とする。
【０００７】
手段４の発明は、手段１ないし手段３のいずれかに記載のものにおいて、前記遊技盤には、各種構成部品に対応させて、前記指標による取付位置を示したテーブルが付されていることを特徴とする。
【０００８】
手段５の発明は、手段１ないし手段４のいずれかに記載のものにおいて、前記指標は、各種構成部品毎に異なる態様とされれていることを特徴とする。
【０００９】
手段６の発明は、手段５に記載のものにおいて、前記指標は、前記遊技盤上での風車の取付位置を示していることを特徴とする。
【００１０】
手段７の発明は、手段５に記載のものにおいて、前記指標は、前記遊技盤上での入賞装置の取付位置を示していることを特徴とする。
【００１１】
手段８の発明は、手段５に記載のものにおいて、前記指標は、前記遊技盤上での表示装置の取付位置を示していることを特徴とする。
【００１２】
手段９の発明は、手段１ないし手段８のいずれかに記載のものにおいて、前記指標は、前記遊技盤の遊技領域外の領域に設けられていることを特徴とする。
【００１３】
手段１０の発明は、手段１ないし手段９のいずれかに記載のものにおいて、前記遊技盤は、台盤と、この台盤の表面に貼り付けられた樹脂製の装飾用セル板とからなり、前記指標は、前記装飾用セル板に設けられていることを特徴とする。
【００１４】
手段１１の発明は、手段１ないし手段１０のいずれかに記載のものにおいて、前記構成部品には、前記指標付近まで延びて前記構成部品の位置を指示するための指標指示部材を着脱可能とする取付部が設けられていることを特徴とする。
【００１５】
手段１２の発明は、手段１１に記載のものにおいて、前記指標指示部材は棒状部材であり、前記取付部は、この棒状部材を貫通可能な貫通孔とされていることを特徴とする。
手段１３の発明は、手段１１に記載のものにおいて、前記取付部は、前記指標指示部材を載置可能に構成されていることを特徴とする。
手段１４の発明は、手段１３に記載のものにおいて、前記指標指示部材は棒状の本体部と、この本体部の軸線と交わる方向に延びる脚部とからなり、この脚部の端部が前記取付部に載置可能とされているとともに、
前記脚部の長さは、前記本体部が、前記構成部品に接触せずに浮く程度の長さとされていることを特徴とする。
【発明の効果】
【００１６】
＜請求項１の発明＞
本手段の構成によれば、遊技盤の表面の縁部には取付位置の指標が付されているから、構成部品の位置ずれをすぐに確認することができる。
また遊技盤の表面の縁部に指標が付されているから、指標が目障りではなくなり、遊技盤の装飾を損なうおそれがない。
＜手段２の発明＞  
本手段の構成によれば、略方形状の遊技盤の隣合う二辺に指標が付されているから、構成部品の遊技盤における縦及び横位置でのずれを確認することができる。
＜手段３の発明＞
例えば、遊技盤には、左上及び右上に風車等が設けられていることがある。この場合に、本手段のように遊技盤の周縁を囲むように指標を設ければ、左側の風車の位置を確認するためには、この風車に近い位置にある遊技盤の左側及び上部の指標をみてその取付位置を確認することができ、右側の風車の位置を確認するためには、遊技盤の右側及び上部の指標をみてその取付位置を確認することができるから、取付位置の確認が容易となる。
【００１７】
＜手段４の発明＞
本手段の構成によれば、作業者は、テーブルを見ながら構成物品の取付位置を容易に確認することができる。
＜手段５の発明＞  
本手段の構成によれば、構成物品に対応した指標を見ることで、容易に構成物品の位置ずれを確認することができる。
＜手段６の発明＞
風車はパチンコ球の流れを左右するためその取付位置は重要である。本手段によれば、風車の取付位置の位置ずれを容易に判別できる。
【００１８】
＜手段７の発明＞
入賞装置は、賞球の払い出しに直接関係するため、その取付位置は正確でなければならない。
本手段によれば、入賞装置の取付位置の位置ずれを容易に判別できる。
＜手段８の発明＞
表示装置は、遊技者に対して例えば変動図柄等を見せるために設けられているが、この表示装置の取付位置がずれていると、遊技者に見づらくなる場合がある。
本手段によれば、表示装置の取付位置の位置ずれを容易に判別できる。
【００１９】
＜手段９の発明＞
遊技者は、遊技盤の遊技領域をみて遊技を行うから、この領域外に指標を設けることにより、指標が遊技盤の装飾を損なうおそれがなくなる。
＜手段１０の発明＞
本手段の構成によれば、指標は、遊技盤のうち装飾用セル板に付されている。装飾用セル板は、樹脂からなるため、湿気により反りが生じにくい。よって、湿気による伸縮で指標の位置ズレが起きにくく、常に構成部品の正確な取付位置を知ることができる。
＜手段１１の発明＞
本手段の構成によれば、以下の作用効果を奏する。すなわち、構成部品を遊技盤に組み付ける際には、構成部品に指標指示部材を装着する。そして、この指標指示部材を装着した状態で、構成部品を遊技盤に取り付けると、指標指示部材が指標をその近傍から指示するから、構成部品の取付位置を確認しやすい。一方、この指標指示部材は着脱可能であるから、構成部品の取付後に取り外すことができ遊技盤上で邪魔となることを防止できる。
【００２０】
＜手段１２の発明＞
本手段の構成によれば、指標指示部材は棒状部材であり、取付部は、この棒状部材を貫通させる貫通孔とされているから、取付部の構造が簡単となり、構成部品の設計および製造が容易となる。
＜手段１３の発明＞
本手段の構成によれば、指標指示部材は取付部に載置されるから、指標指示部材を使用後に取り外しやすい。
＜手段１４の発明＞
本手段の構成によれば、指標指示部材は棒状の本体部と、この本体部の軸線と交わる方向に延びる脚部とからなり、この脚部の端部が取付部に載置可能とされている。そして、脚部の長さは、本体部が、構成部品に接触せずに浮く程度の長さとされている。
従って、構成部品と本体部との接触が回避され、指標指示部材による指標の指示位置が安定する。特に起伏の多い装飾部材では、指標指示部材が起伏に当たるとその先端が指す位置が変化するが、本手段のように浮いていれば、そのようなことはなくなる。
【発明を実施するための最良の形態】
【００２１】
＜実施形態１＞
以下、本発明の第１実施形態を添付図面を参照しつつ説明する。
パチンコ機１の額縁状に形成された前面枠３の開口には、金枠５が周設されている。金枠５には、ガラス扉枠７と前面扉板９とが開閉可能に設けられている。ガラス扉枠７の後方には、遊技盤１３が配置され、前面扉板９の表面には、打球を貯留し、かつ図示しない打球発射位置に打球を供給する上皿１５が固定されている。さらに、前面枠３の下方には、打球の発射力を調整する操作ハンドル１７、上皿１５に貯留しきれなかった景品玉を貯留する下皿１９が設けられている。
【００２２】
遊技盤１３の前面には、ほぼ円状に設けられる誘導レール２３によって区画された遊技領域２５が形成されている。遊技領域２５のほぼ中央には、特別図柄表示装置２７が配設されており、ここに複数の図柄列が表示される。本実施形態では、これらの図柄列として上図柄列２９、中図柄列３１及び下図柄列３３の３つの図柄列が表示されるが、それ以外の数の図柄列が表示されてもよい。
これらの図柄列２９，３１，３３は、通常変動時には横方向（右から左へ移動するように）にスクロール表示される。なお、図柄列は、例えば左図柄列、中図柄列、右図柄列のように縦方向にスクロール表示されるものであってもよい。
【００２３】
また、特別図柄表示装置２７の上部には普通図柄表示装置３５が併設されている。普通図柄表示装置３５は、発光ダイオード（ＬＥＤ）よりなる４つの保留ランプ３７と、普通図柄表示部たるＬＥＤよりなる７セグ表示部３９とを備えている。普通図柄表示装置３５は、「０」〜「９」までの数字を可変表示して７セグ表示部３９にセグメント表示させ、その数字が所定値（本実施の形態では「７」）で停止した場合に、始動入賞装置４５の羽根４５Ａを所定秒数開放させる。この開放により、始動入賞装置４５への入賞が比較的容易なものとなる。
【００２４】
特別図柄表示装置２７の表示部２７Ａでは、各図柄列２９，３１，３３の図柄変動（スクロール変動）は、遊技球の始動入賞装置４５への入賞に基づいて開始させられる。また、大当たり図柄、外れリーチ図柄及び外れ図柄の中から１つが選択され、これが停止図柄として設定される。停止図柄とは、各図柄列２９，３１、３３が図柄変動を停止したときに表示される図柄である。本実施形態では、図柄変動は、上図柄列２９、下図柄列３３、中図柄列３１の順に停止させられるが、これはあくまでも一例にすぎず、別の順序で停止するようにしてもよい。
【００２５】
特別図柄表示装置２７において、表示部２７Ａの上方には、発光ダイオード（ＬＥＤ）からなる保留ランプ４９が組み込まれている。保留ランプ４９は、変動表示の保留毎に点灯させられ、その保留に対応した変動表示の実行に伴い消灯させられる。このほかにも、パチンコ機１の複数箇所には、遊技効果を高めるための各種ランプが取り付けられている。これらのランプは、遊技の進行に応じて点灯状態（消灯、点灯、点滅等）が変えられる。さらに、パチンコ機１には、装飾部材５１、風車５３、図示しないスピーカ等が設けられている。
【００２６】
次に、遊技盤１３の構成について詳細に説明する。図３において、遊技盤１３は、合板や合成樹脂等で形成される厚肉の台盤６１とこの台盤６１の表面に貼付されたセル板６３とから構成されている。このうち台盤６１は、ほぼ正方形状に加工されてその周囲に前面枠３裏面への取付の際に位置決め等を行う切欠部７３が形成されている。そして、表面には疎水性の樹脂シートからなるセル板６３が接着剤によって貼り付けられている。セル板６３は、その裏面に図柄等を印刷した印刷層６５を有するセルフィルム層６７と印刷層６５を裏面から被覆する台紙６９とを貼付したものからなり、その台紙６９の裏面に接着剤を塗布した後に台盤６１に加圧接着するものである。セル板６３には、図４に示すようにその左側縁部及び下縁部に指標７５が付されている（印刷層６５に印刷されている）。本実施形態では指標７５は、目盛り状のものとされており、例えばセンチ単位の主目盛りと例えばミリ単位の補助目盛りとが刻まれている。なお、指標７５は、遊技領域２５外の部分（図５に示されるように誘導レール２３で囲まれた領域よりも外の部分）に付されており、ガラス扉枠７を綴じた際には、ガラス扉枠７の後方に隠れて、遊技者からは見えない位置に付されている。
遊技盤１３には、特別図柄表示装置２７、始動入賞装置４５、大入賞口４７、装飾部材５１等の構成部品を取り付けるための取付開口７１がルター加工機等の工作機械によって加工されている。この取付開口７１は、台盤６１にセル板６３が接着された後に形成されるものであり、台盤６１及びセル板６３を貫通している。
【００２７】
次に遊技盤１３への構成部品の組み付け作業について説明する。
まず、取付開口７１を形成した遊技盤１３に、図示しないゲージ盤で多数の障害釘の打ち込み位置に窪みを形成し、その後、釘打機で障害釘を打ち込みする（なお、障害釘も本発明の構成部品に該当する）。
その後、構成部品を手作業又は機械自動作業で組み付ける。この際に、特別図柄表示装置２７、始動入賞装置４５、大入賞口４７、装飾部材５１等の構成部品は、取付開口７１に嵌められた後でネジ締め等により固定される。
また、風車５３等の構成部品は、ネジ締め等によって直接遊技盤１３の表面に取り付けられる。
そして、作業者は、図５のような状態で、指標７５を見ながら構成部品が予め定められた取付位置に取り付けられたか否かを確認する。つまり、作業者は、各構成物品の適正な取付位置（指標７５における縦横の座標位置）を組み付けマニュアル等で確認する。取付位置がずれていた場合には、ネジ等をゆるめて取付位置を修正する。
このように本実施形態の構成によれば、遊技盤１３の表面の縁部には取付位置の指標７５が付されているから、構成部品の位置ずれをすぐに確認することができ作業性が向上する。
また遊技盤１３の表面の縁部に指標７５が付されているから、指標７５が目障りではなくなり、遊技盤１３の装飾を損なうおそれがない。
また、方形状の遊技盤１３の隣合う二辺に指標７５が付されているから、構成部品の遊技盤における縦及び横位置でのずれを確認することができる。
また、指標７５は、遊技盤１３のうち遊技領域２５外に設けられている。通常、遊技者は、遊技盤１３の遊技領域２５をみて遊技を行うから、指標７５が遊技盤１３の装飾を損なうおそれがなくなる。
また、指標７５は、遊技盤１３のうちセル板６３に付されている。セル板は、樹脂からなるため、湿気により反りが生じにくい。よって、湿気によって目盛り間隔が伸縮せず、常に構成部品の正確な取付位置を知ることができる。
【００２８】
＜第２実施形態＞
次に、第２実施形態について図６〜７を参照しつつ説明する。第２実施形態では、第１実施形態と異なる構成のみ説明し、第１実施形態と同一の他の構成、作用、効果については省略する。なお、同一の構成については第１実施形態と同一の符号を付す。第２実施形態では、セル板６３の周縁部、すなわち、図６に示すように左側縁部、右側縁部、上縁部、及び下縁部に指標７５が付されている（印刷層６５に印刷されている）点と、セル板６３には各種構成部品に対応させて、指標による取付位置（上端位置、下端位置、左端位置、右端位置）を示した位置表示テーブル７７（例えば、図７に示すテーブル）が付されている点が第１実施形態のものと異なる。
【００２９】
次に本実施形態の特有の効果について説明する。遊技盤１３には、左上及び右上の左右対称位置に構成部品（例えば風車５３等）が設けられていることがある。この場合に、本実施形態のように遊技盤１３の周縁を囲むように指標７５を設ければ、左側の構成部品（左側の風車５３Ａ）の位置を確認するためには、この風車５３Ａに近い位置にある遊技盤１３の左側及び上部の指標７５をみてその取付位置を確認することができ、右側の風車５３Ｂの位置を確認するためには、遊技盤１３の右側及び上部の指標７５をみてその取付位置を確認することができるから、取付位置の確認が容易となる。
また、本実施形態の構成によれば、組み付け作業者は、位置表示テーブル７７を見ながら構成物品の取付位置を容易に確認することができる。
【００３０】
＜第３実施形態＞
次に、第３実施形態について図８を参照しつつ説明する。第３実施形態では、第１実施形態と異なる構成のみ説明し、第１実施形態と同一の他の構成、作用、効果については省略する。なお、同一の構成については第１実施形態と同一の符号を付す。第３実施形態では、構成部品毎に異なる態様の指標が付されている。具体的には、風車の取付位置を示す指標Ｈ、始動入賞装置４５の取付位置を示す指標Ｓがそれぞれ付されている。これらの指標Ｈ，Ｓは、各構成部品の上端、下端、左端、右端を示すようにされている。
本手段の構成によれば、作業者は、風車５３、始動入賞装置４５にそれぞれ対応する指標Ｈ，Ｓを見ることで、容易にそれらの位置ずれを確認することができる。
なお、本実施形態では、目盛り状の指標７５を付さずに、風車の取付位置を示す指標Ｈ、始動入賞装置４５の取付位置を示す指標Ｓ等だけを付しても構わない。
【００３１】
＜第４実施形態＞
次に、第４実施形態について図９〜１０を参照しつつ説明する。第４実施形態では、第１実施形態と異なる構成のみ説明し、第１実施形態と同一の他の構成、作用、効果については省略する。なお、同一の構成については第１実施形態と同一の符号を付す。
第４実施形態では、構成部品としての特別図柄表示装置２７には、先端が尖った指標指示部材８０を取り付けるための左右方向に延びる貫通孔８２が形成されている。なお、指標指示部材８０の長さは、図９に示すように、指標７５の近傍までその先端が達する程度の長さとされている。
本実施形態の構成によれば、以下の作用効果を奏する。すなわち、特別図柄表示装置２７を遊技盤１３に組み付ける際には、貫通孔８２に指標指示部材８０を装着する。そして、この指標指示部材８０を装着した状態で、特別図柄表示装置２７を遊技盤１３に取り付けると、図９に示すように指標指示部材８０の先端が指標７５を指示するから、特別図柄表示装置２７の取付位置を確認しやすい。そして、特別図柄表示装置２７の取付後には、図１０に示すように指標指示部材８０を取り外し、指標指示部材８０が遊技盤１３上で邪魔となることを防止する。
【００３２】
＜第５実施形態＞
次に、第５実施形態について図１１〜１２を参照しつつ説明する。第５実施形態では、第４実施形態と異なる構成のみ説明し、第４実施形態と同一の他の構成、作用、効果については省略する。なお、同一の構成については第４実施形態と同一の符号を付す。
第５実施形態では、指標指示部材８０は、棒状の本体部８０Ａと、この本体部８０Ａの軸線と交わる方向に延びる脚部８０Ｂとからなり、この脚部８０Ｂのフランジ状の端部８０Ｃが、特別図柄表示装置２７の上部に設けられた平坦なステージ２７Ｃ（取付部に相当）に載置可能とされている。そして、脚部８０Ｂの長さは、本体部８０Ａが、特別図柄表示装置２７の上端部２７Ｄに接触せずに浮く程度の長さとされている。
本実施形態の構成によれば、指標指示部材８０はステージ２７Ｃに載置されるから、指標指示部材８０を使用後に取り外しやすい。
また、特別図柄表示装置２７と本体部８０Ａとの接触が回避され、指標表示部材８０の指示位置が安定する。特に起伏の多い特別図柄表示装置２７では、指標指示部材８０が起伏（例えば上端部２７Ｄ）に当たるとその先端が指す位置が変化するが、本実施形態のように浮いていれば、そのようなことはなくなる。
なお、本実施形態のステージ２７Ｃ、脚部８０Ｂ、脚部８０Ｂの端部８０Ｃの形状は特に限定されない。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態においては、目盛り間隔は、センチ及びミリ間隔としたが、特に限定されない。
（２）上記第２実施形態においては、位置表示テーブル７７の一例を図７に示したが、位置表示テーブル７７の形態は特に限定されない。また、その取付位置も特に限定されない。
（３）上記第３実施形態においては、４つの指標の組（上端を示す指標、下端を示す指標、左端を示す指標、及び右端を示す指標の組）で一つの構成部品位置を示していたが、１つの構成部品の特定の一点（例えば、図５における特別図柄表示装置２７の表示部２７Ａの左下角部２７Ｂ）を基準点として、この基準点の適切な位置を２つの目印の組（例えば、図８における符号ＺＫ，ＺＫ）で示してもよい。
【００３４】
（４）上記第３実施形態においては、指標は、風車５３、始動入賞装置４５に対応するものとしたが、指標が対応する構成部品は特に限定されない。例えば、始動入賞装置４５以外の入賞装置、普通図柄表示装置３５、装飾部材５１、釘等にそれぞれ対応するものであってもよい。
（５）上記実施形態においては、遊技盤１３は、台盤６１とこの台盤６１の表面に貼付されるセル板６３とから構成されているものとしたが、遊技盤１３を単層の樹脂板として、その表面に指標を有する装飾印刷を施してもよい。
（６）上記第４実施形態においては、指標指示部材８０の取付部を貫通孔８２としたが、着脱可能に指標指示部材を取り付けることができる構造であれば、その構造は特に限定されない。また、指標指示部材の取付構造を、特別図柄表示装置２７以外の、例えば、始動入賞装置４５、装飾部材５１等に備えてもよい。
（７）上記第４実施形態では、指標指示部材８０は遊技盤１３の左側縁部の指標７５に向かって延びて、この左側縁部の指標７５を指示するものとしたが、指標指示部材８０の指示する指標は、下縁部の指標７５や、図６の右側縁部の指標７５や、図６の上縁部の指標７５を指示するものであってもよい。また、指標指示部材８０の形状、大きさは特に限定されない。
【図面の簡単な説明】
【００３５】
【図１】本発明の第１実施形態のパチンコ機の正面図である。
【図２】ガラス扉枠を開けた状態のパチンコ機の正面図である。
【図３】遊技盤の断面図（図４のＸ−Ｘ断面図）である。
【図４】構成部品組み付け前の遊技盤の正面図である。
【図５】構成部品組み付け後の遊技盤の正面図である。
【図６】第２実施形態の遊技盤の正面図である。
【図７】位置表示テーブルを示す図である。
【図８】第３実施形態の遊技盤の正面図である。
【図９】第４実施形態の遊技盤の正面図である。
【図１０】構成部品組み付け後の遊技盤の正面図である。
【図１１】第５実施形態の遊技盤の正面図である。
【図１２】構成部品組み付け後の遊技盤の斜視図である。
【符号の説明】
【００３６】
１…パチンコ機
１３…遊技盤
２３…誘導レール
２５…遊技領域
２７…特別図柄表示装置
４５…始動入賞装置
５１…装飾部材
５３…風車
６１…台盤
６３…セル板
６５…印刷層
６７…セルフィルム層
６９…台紙
７１…取付開口
７５…指標
【図１】
2005143578.tif 000003
【図２】
2005143578.tif 000004
【図３】
2005143578.tif 000005
【図４】
2005143578.tif 000006
【図５】
2005143578.tif 000007
【図６】
2005143578.tif 000008
【図７】
2005143578.tif 000009
【図８】
2005143578.tif 000010
【図９】
2005143578.tif 000011
【図１０】
2005143578.tif 000012
【図１１】
2005143578.tif 000013
【図１２】
2005143578.tif 000014